【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
データをホストするための方法であって、
ホストされたデータプラットフォーム上で、データまたは前記データに関連付けられたメタデータのうち、少なくとも１つを受信するステップであって、前記データ、前記メタデータまたは両方は、少なくとも、第１の基準のセットに基づいて前記データ、前記メタデータまたは両方のための第１のラッパを定義する第１の数学的変換、および、第２の基準のセットに基づいて前記データ、前記メタデータまたは両方のための第２のラッパを定義する第２の数学的変換を含む、前記ホストされたデータプラットフォームとは別個の数学的変換コンポーネントによる前記データ、前記メタデータまたは両方の少なくとも１つの数学的変換から形成された複合ラッパによって保護されるステップと、
前記複合ラッパによって保護されたような前記データ、メタデータまたは両方へのアクセスを求める要求を、前記要求に含まれた能力のセットに基づいて受信するステップであって、前記能力のセットは、前記ホストされたデータプラットフォームおよび前記数学的変換コンポーネントとは別個のアクセス情報ジェネレータによって生成される、ステップと、
前記能力のセットに基づいて、前記データ、メタデータまたは両方に対する少なくとも１つのアクセス特権を、前記第１のラッパを通じた可視性を評価すること、および、前記第２のラッパを通じた可視性を独立して評価することに基づいて、決定するステップと
を備えることを特徴とする方法。
【請求項２】
前記受信するステップは、少なくとも、前記第１の基準のセットに基づいて前記データ、前記メタデータまたは両方の全部未満をラップする前記第１のラッパを定義する前記第１の数学的変換を含む、前記少なくとも１つの数学的変換から形成された前記複合ラッパによって保護された前記データまたはメタデータのうち、前記少なくとも１つを受信するステップを含み、
前記決定された少なくとも１つのアクセス特権は、前記第１のラッパではなく前記第２のラッパによって保護された前記データ、メタデータまたは両方に対するアクセスを許可する、
ことを特徴とする請求項１に記載の方法。
【請求項３】
前記受信するステップは、少なくとも、前記第１の基準のセットに基づいて前記データ、前記メタデータまたは両方をラップする前記第１のラッパを定義する前記第１の数学的変換、および、少なくとも、前記第１のラッパによってラップされたような前記データ、メタデータまたは両方をラップする前記第２のラッパを定義する前記第２の数学的変換を含む、前記少なくとも１つの数学的変換から形成された前記複合ラッパによって保護された前記データまたはメタデータのうち、前記少なくとも１つを受信するステップを含むことを特徴とする請求項１に記載の方法。
【請求項４】
前記受信するステップは、少なくとも、前記第１の基準のセットに基づいて前記データ、前記メタデータまたは両方の全部未満をラップする前記第１のラッパを定義する前記第１の数学的変換、および、少なくとも、前記データ、メタデータまたは両方の全部をラップする前記第２のラッパを定義する前記第２の数学的変換を含む、前記少なくとも１つの数学的変換から形成された前記複合ラッパによって保護された前記データまたはメタデータのうち、前記少なくとも１つを受信するステップを含むことを特徴とする請求項１に記載の方法。
【請求項５】
前記受信するステップは、少なくとも、相補的信頼またはセキュリティ基準を満たすための前記第１のラッパおよび前記第２のラッパを含む、相補的ラッパによって構成された前記複合ラッパによって保護された前記データ、前記メタデータまたは両方を受信するステップを含むことを特徴とする請求項１に記載の方法。
【請求項６】
前記データ、前記メタデータまたは両方の状況が新しい状況に変化する場合、前記新しい状況に関連付けられた新しい基準のセットに適した少なくとも１つの追加のラッパを、自動的に追加または除去するステップをさらに備えることを特徴とする請求項１に記載の方法。
【請求項７】
前記データ、前記メタデータまたは両方の機密性クラスがより機微なクラスに変化する場合、前記より機微なクラスに適した少なくとも１つの追加のラッパを、前記データ、前記メタデータまたは両方に自動的に追加するステップを特徴とする請求項１に記載の方法。
【請求項８】
前記決定するステップは、可視性を評価する同心の順序を決定するステップを含むことを特徴とする請求項１に記載の方法。
【請求項９】
前記決定するステップは、可視性を評価する側方の順序を決定するステップを含むことを特徴とする請求項１に記載の方法。
【請求項１０】
前記第１のラッパの前記定義または前記第２のラッパの定義は、前記データ、前記メタデータまたは両方のためのアクセスの速度要件を定義するステップを含むことを特徴とする請求項１に記載の方法。
【請求項１１】
前記第１のラッパの前記定義または前記第２のラッパの定義は、前記データ、前記メタデータまたは両方のための改ざん防止要件を定義するステップを含むことを特徴とする請求項１に記載の方法。
【請求項１２】
前記第１のラッパの前記定義または前記第２のラッパの定義は、前記データ、前記メタデータまたは両方に対して指定された回復の信頼性要件を定義するステップを含むことを特徴とする請求項１に記載の方法。
【請求項１３】
データ、メタデータもしくは両方を発行すること、または、発行されたデータ、発行されたメタデータもしくは両方にサブスクライブすることのうち、少なくとも１つのための能力情報を生成するように構成された、少なくとも１つのプロセッサ上で動作するアクセス情報ジェネレータと、
前記アクセス情報ジェネレータから独立して実装された、数学的変換技術プロバイダによって少なくとも部分的に配布された少なくとも１つの数学的変換コンポーネントであって、前記アクセス情報ジェネレータによって生成された前記能力情報に基づいて、少なくとも１つのエンコードアルゴリズムまたはデコードアルゴリズムを行うように構成された少なくとも１つのプロセッサを含む、前記少なくとも１つの数学的変換コンポーネントと、
前記少なくとも１つの数学的変換コンポーネントによって暗号化されたコンピュータデータ、コンピュータメタデータまたは両方に対するネットワークサービスを実装するように構成された少なくとも１つのプロセッサを含む、前記アクセス情報ジェネレータおよび前記少なくとも１つの数学的変換コンポーネントから独立して実装された、ネットワークサービスプロバイダと
を備え、
前記ネットワークサービスプロバイダは、前記少なくとも１つの数学的変換コンポーネントと通信して、前記コンピュータデータ、コンピュータメタデータまたは両方に適用された少なくとも２つの数学的変換ラッパの生成、再生成、改変、拡大または削除を行うように構成されることを特徴とするシステム。
【請求項１４】
前記ネットワークサービスプロバイダは、ラッパの生成、再生成、改変、拡大または削除を、前記ラッパのための信頼要件のセットのための信頼要件を修正する少なくとも１つの時間的イベントに基づいて行うように構成されることを特徴とする請求項１３に記載のシステム。
【請求項１５】
前記ネットワークサービスプロバイダは、ラッパの生成、再生成、改変、拡大または削除を、前記ラッパのための信頼要件のセットのための信頼要件を修正する少なくとも１つの空間的イベントに基づいて行うように構成されることを特徴とする請求項１３に記載のシステム。